(57)【要約】【課題】作業者が空気洗浄されて飛散した粉塵、塵埃による粉塵汚染を受け難くする除塵ブースを提供することを目的とする。【解決手段】浄化手段１０により浄化された空気を送風機１１により、作業者領域６の後方の上方に設けられた吹出し口１２から、作業者の上方背面から空気洗浄が行われる作業台１３の上の洗浄対象物７に向かって吹出される。作業者の背面上方から洗浄領域５に向かって浄化された空気を吹き出すことにより、洗浄領域５での空気洗浄により飛散し作業者領域６側に侵入してくる塵埃から、作業者の顔面、頭部の保護ができ、作業者が空気洗浄されて飛散した粉塵、塵埃による粉塵汚染を受け難くする除塵ブースが得られる。【選択図】図１
2014176787.tif 000002
【特許請求の範囲】
【請求項１】
天井と、
囲われた周囲と、
洗浄領域と、
作業者領域を備え、
前記洗浄領域と前記作業者領域の境界に前記天井から所定高さまでの透明カーテンを備え、
前記洗浄領域は空気洗浄を行う対象物を搬送する作業台を備え、
前記対象物の空気洗浄により生じる塵埃を含む空気を吸込む吸込み口と、
前記吸込み口から吸込まれた塵埃を含む空気を浄化する浄化手段と、
前記浄化手段により浄化された空気を前記作業者領域の後方の上方から前記洗浄領域に向かって吹出す吹出し口と、送風手段と、
前記吹出し口に吹出し方向を可変する吹出し方向可変手段を備えた除塵ブース。
【請求項２】
吹出し口を上下する吹出し口上下手段を備えた請求項１記載の除塵ブース。
【請求項３】
透明カーテンの天井からの高さを可変にする透明カーテン可変手段を備えた請求項１または２記載の除塵ブース。
【請求項４】
吸込み口を洗浄領域であって作業者領域と対向する対向面の下方に備えた請求項１乃至３のいずれかに記載の除塵ブース。
【発明の詳細な説明】
【技術分野】
【０００１】
本発明は、空調機等の空気洗浄対象物をエアノズル等による空気洗浄する際に使用される除塵ブースに関するものである。
【背景技術】
【０００２】
従来、この種の除塵ブースは、作業ブース内で飛散する塵埃を含む空気を送風機の吸引力により吸引し、吸引された空気中の塵埃をスクリ−ンメッシュにより除去し、ヘパフィルターを介して清浄空気を天井部より吹き出し、作業ブース内に流下させるものが知られている（例えば、特許文献１参照）。
【先行技術文献】
【特許文献】
【０００３】
【特許文献１】特開２０１０−２４０５３１号公報
【発明の概要】
【発明が解決しようとする課題】
【０００４】
このような従来の除塵ブースにおいては、作業者が作業ブース内での空気洗浄対象物の空気洗浄作業をする場合、作業者が作業ブース内で作業しており、空気洗浄された塵埃が作業ブース内で飛散し、その飛散した粉塵、塵埃による粉塵汚染を受け易いという課題を有していた。
【０００５】
そこで本発明は、上記従来の課題を解決するものであり、作業者が空気洗浄されて飛散した粉塵、塵埃による粉塵汚染を受け難くする除塵ブースを提供することを目的とする。
【課題を解決するための手段】
【０００６】
そして、この目的を達成するために、本発明は、天井と、囲われた周囲と、洗浄領域と、作業者領域を備え、前記洗浄領域と前記作業者領域の境界に前記天井から所定高さまでの透明カーテンを備え、前記洗浄領域は空気洗浄を行う対象物を搬送する作業台を備え、前記対象物の空気洗浄により生じる塵埃を含む空気を吸込む吸込み口と、前記吸込み口から吸込まれた塵埃を含む空気を浄化する浄化手段と、前記浄化手段により浄化された空気を前記作業者領域の後方の上方から前記洗浄領域に向かって吹出す吹出し口と、送風手段と、前記吹出し口に吹出し方向を可変する吹出し方向可変手段を備えた除塵ブース、としたものである。
【０００７】
これにより、作業者の背面上方から洗浄領域に向かって浄化された空気を吹き出すことができ、洗浄領域での空気洗浄により飛散してくる塵埃による塵埃汚染、粉塵汚染から作業者を保護、特に、作業者の顔面、頭部の保護ができ、作業者が空気洗浄されて飛散した粉塵、塵埃による粉塵汚染を受け難くする除塵ブースの提供を達成するものである。
【０００８】
浄化された空気が作業者の顔面、頭部を通って吹出されることになり、作業者の顔面、頭部を通る空気により、洗浄領域から作業者領域に侵入してくる塵埃をブロックし、作業者の顔面、頭部の保護ができることとなる。
【０００９】
また、本発明は、吹出し口を上下する吹出し口上下手段を備えたものであり、これにより、より確実に、作業者の顔面、頭部の保護ができ、作業者が空気洗浄されて飛散した粉塵、塵埃による粉塵汚染を受け難くする除塵ブースの提供を達成するものである。
【００１０】
また、本発明は、透明カーテンの天井からの高さを可変にする透明カーテン可変手段を備えたものであり、これにより、より確実に、作業者の顔面、頭部の保護ができ、作業者が空気洗浄されて飛散した粉塵、塵埃による粉塵汚染を受け難くする除塵ブースの提供を達成するものである。
【００１１】
また、本発明は、吸込み口を洗浄領域であって作業者領域と対向する対向面の下方に備えたものであり、これにより、作業者の背面上方から洗浄領域の作業者領域と対向する対向面の下方に向かって浄化された空気の流れができ、作業者が空気洗浄されて飛散した粉塵、塵埃による粉塵汚染を受け難くする除塵ブースの提供を達成するものである。
【発明の効果】
【００１２】
本発明によれば、浄化手段により浄化された空気を作業者領域の後方の上方から洗浄領域に向かって吹出す吹出し口を備えたことにより、作業者の背面上方から洗浄領域に向かって浄化された空気を吹き出すことができ、洗浄領域から飛散してくる塵埃による塵埃汚染から作業者を保護、特に、作業者の顔面、頭部の保護ができ、作業者が空気洗浄されて飛散した粉塵、塵埃による粉塵汚染を受け難くいという効果を得ることができる。
【図面の簡単な説明】
【００１３】
【図１】本発明の実施の形態１の除塵ブースの横断面の概略を示す概略横断面図
【図２】同除塵ブースの正面の断面の概略を示す概略正面断面図
【発明を実施するための形態】
【００１４】
本発明の請求項１記載の除塵ブースは、天井と、囲われた周囲と、洗浄領域と、作業者領域を備え、前記洗浄領域と前記作業者領域の境界に前記天井から所定高さまでの透明カーテンを備え、前記洗浄領域は空気洗浄を行う対象物を搬送する作業台を備え、前記対象物の空気洗浄により生じる塵埃を含む空気を吸込む吸込み口と、前記吸込み口から吸込まれた塵埃を含む空気を浄化する浄化手段と、前記浄化手段により浄化された空気を前記作業者領域の後方の上方から前記洗浄領域に向かって吹出す吹出し口と、送風手段と、前記吹出し口に吹出し方向を可変する吹出し方向可変手段を備えた除塵ブース、という構成を有する。
【００１５】
これにより、作業者の背面上方から洗浄領域に向かって浄化された空気を吹き出すことができ、洗浄領域での空気洗浄により飛散してくる塵埃による塵埃汚染、粉塵汚染から作業者を保護、特に、作業者の顔面、頭部の保護ができ、作業者が空気洗浄されて飛散した粉塵、塵埃による粉塵汚染を受け難くする除塵ブースを提供するという効果を奏する。
【００１６】
また、吹出し口を上下する吹出し口上下手段を備えた請求項１記載の除塵ブース、という構成にしてもよい。
【００１７】
これにより、作業者の身長に合わせて吹出し口を上下でき、作業者の身長に合わせての作業者の顔面、頭部の保護がより確実にでき、作業者が空気洗浄されて飛散した粉塵、塵埃による粉塵汚染を受け難くする除塵ブースを提供するという効果を奏する。
【００１８】
また、透明カーテンの天井からの高さを可変にする透明カーテン可変手段を備えた請求項１または２記載の除塵ブースという構成にしてもよい。
【００１９】
これにより、作業者の身長に合わせて透明カーテンの天井からの高さを可変にすることで、作業者の身長に合わせての作業者の顔面、頭部の保護がより確実にでき、作業者が空気洗浄されて飛散した粉塵、塵埃による粉塵汚染を受け難くする除塵ブースを提供するという効果を奏する。
【００２０】
また、吸込み口を洗浄領域であって作業者領域と対向する対向面の下方に備えた請求項１乃至３のいずれかに記載の除塵ブース、という構成にしてもよい。
【００２１】
これにより、作業者の背面上方から洗浄領域の作業者領域と対向する対向面の下方に向かって浄化された空気のスムースな流れができ、作業者が空気洗浄されて飛散した粉塵、塵埃による粉塵汚染を受け難くする除塵ブースの提供を達成するという効果を奏する。
【００２２】
以下、本発明の実施の形態について図面を参照しながら説明する。
【００２３】
（実施の形態１）
図１および図２に示すように、除塵ブース１は、四隅に鉄柱等の柱２を備え、天井３と周囲４がビニールシート、ポリエチレンシート等で囲われている。除塵ブース１内は、除塵ブース１内の空気が外に漏れ出ない程度に略密封されている。なお、柱２の下部にキャスターを設けて、除塵ブース１を移動可能としても良い。
【００２４】
除塵ブース１は、洗浄領域５と作業者領域６を備えて構成され、洗浄領域５内で、洗浄対象物７をエア−ブラシ等（図示はしていない）により、空気洗浄を行い、洗浄対象物７に付着している塵埃等を除去する。
【００２５】
作業者は、作業者領域６から、エアーブラシ等（図示はしていない）を用いて、洗浄領域５内で搬送されてくる洗浄対象物７の空気洗浄を行う。空気洗浄を行うことで、洗浄対象物７から吹き飛ばされた粉塵、塵埃を含む空気を、洗浄領域５であって作業者領域６と対向する対向面８の下方に備えられた吸込み口９から吸込む。
【００２６】
吸込まれた塵埃を含む空気はＨＥＰＡフィルター、電気集塵等の浄化手段１０により、塵埃等が除去され、浄化される。
【００２７】
浄化された空気は送風手段である送風機１１により昇圧され作業者領域６の後方の上方に設けられた吹出し口１２から吹出されることにより、作業者の上方背面から空気洗浄が行われる作業台１３の上の洗浄対象物７に向かって吹出される。図１の矢印の方向は空気の流れ方向を示しています。
【００２８】
作業者の背面上方から洗浄領域５に向かって浄化された空気を吹き出すことにより、洗浄領域５での空気洗浄により飛散し作業者領域６側に侵入してくる塵埃から、作業者の顔面、頭部の保護ができ、作業者が空気洗浄されて飛散した粉塵、塵埃による粉塵汚染を受け難くする除塵ブースが得られる。
【００２９】
吹出し口１２から吹出された浄化空気が作業者の背面上方から、顔面、頭部を通ることにより、作業者の頭部から顔面を通って上半身に至るまで作業者表面に浄化空気の流れを作り、洗浄領域５から作業者領域６に侵入してくる塵埃をブロックし、作業者の顔面、頭部への侵入を阻止し、作業者の顔面、頭部の保護ができることとなる。
【００３０】
作業者領域６の後方の上方とは、作業者が洗浄領域５内で搬送される洗浄対象物７をエアーブラシ用いて空気洗浄を行うなど作業者の空気洗浄作業時に、作業者の後方の上方、すなわち作業者の背面上方である。
【００３１】
したがって、作業者領域６の後方の上方とは、作業者の背面上方から洗浄領域に向かって浄化された空気を吹き出すことで、作業者の顔面、頭部の保護ができる程度の作業者領域６の後方の上方である。
【００３２】
作業者領域６の上方の後方とは、作業者の作業時の境界１４での作業に伴う移動、厚み等を考慮して、例えば、成人男性の厚みを略２３ｃｍ程度、身長を１７２ｃｍ程度とすると、洗浄領域５と作業者領域６の境界１４から作業者領域６側に略３０〜８０ｃｍ程度で作業者が作業する床上１９０ｃｍ〜２２０ｃｍ程度である。
【００３３】
作業者の背面上方から洗浄領域５に向かって浄化された空気を吹き出すことで、作業者の顔面、頭部の保護ができれば良い程度となる。
【００３４】
なお、吹出し口１２を洗浄領域５に向かって、前後に動かすことができる吹出し口前後移動手段を設けても良い。吹出し口前後移動手段としては、吹出し口１２が作業者領域６内を洗浄領域５方向に向かって前後に動かせれば良い。
【００３５】
例えば、図示はしていないが、洗浄領域５に向かって前後に伸縮する伸縮自在なダクトを吹出し口１２と送風機１１との間に水平に設けて接続し、洗浄領域５に向かって天井３に設けたレールとそのレールを動く車輪とその車輪の軸受けに吹出し口１２を吊り下げる前後ワイヤを備える。
【００３６】
前記車輪を回転させる車輪ＤＣモータを用いて、前記車輪ＤＣモータを正回転、逆回転させて、前記レールに沿って動かし、吹出し口１２を洗浄領域５に向かって前後に移動させる。
【００３７】
吹出し口１２の移動に伴って、水平に設けた伸縮自在なダクト、例えば、ジャバラダクトは洗浄領域５方向に向かって前後に伸縮し、送風機１１からの浄化空気を吹出す。
【００３８】
洗浄領域５と作業者領域６の境界１４の上部に天井３から所定の高さ、例えば、作業者の顔面まで透明カーテン１５が天井３から垂れ下がって設けられている。透明カーテン１５と作業者の後方の上方背面からの吹出し空気により、作業者、特に、作業者の顔面、頭部が、空気洗浄により洗浄対象物７から舞い上がり、飛散する塵埃等から保護される。
【００３９】
空気洗浄される洗浄対象物７としては、粉塵、塵埃等で汚れているものであり、例えばエアコン等の空調機、ブラウン管タイプのテレビ、薄型タイプのテレビ等がある。
【００４０】
洗浄領域５の下方の吸込み口９から吸込まれることにより、洗浄領域５は負圧となり、作業者領域６は洗浄領域５に比べて陽圧となり、作業者領域６への塵埃の逆流侵入を阻むようにしている。
【００４１】
吹出し口を上下する吹出し口上下手段を備えて、吹出し口１２を上下することで、各作業者の身長、体格に合わせて、吹出し口１２から浄化空気が作業者の顔面、頭部を通るように吹出しを行うことができ、洗浄領域５から作業者領域６に侵入してくる塵埃の作業者への顔面、頭部への侵入をブロックし作業者の塵埃からの保護をより良くする。
【００４２】
吹出し口上下手段としては、吹出し口１２を上下できれば良く、例えば、送風機１１と吹出し口１２との間に伸縮自在なダクト、例えば、ジャバラダクト２１を垂直に設けて接続し、吹出し口１２をワイヤ２２で吊り下げ、ワイヤ２２をワイヤ巻き上げモータ２３で巻き上げて吹出し口１２を上下させる。
【００４３】
吹出し口１２の上下に伴って、ジャバラダクト２１は上下方向に伸縮し、送風機１１からの浄化空気を吹出す。
【００４４】
吹出し口１２に吹出し方向を可変する吹出し方向可変手段を備えて、吹出し方向を可変することで、吹出し方向の上下方向の可変により、洗浄領域５から作業者領域６に侵入してくる塵埃が作業者の顔面に当たらないように、各作業者の身長、体格に合わせた吹出しを行うことができ、作業者の塵埃からの保護をより良くする。
【００４５】
吹出し方向可変手段としては、吹出し方向を可変にできれば良く、例えば、吹出し口１２にルーバ２４を設けて、ルーバモータ２５で上下方向に回転させ、上下方向に吹出し方向可変とする。
【００４６】
なお、更に、左右方向に吹出し可変とする左右方向可変ルーバを設けても良い。吹出し方向の上下、左右方向の可変により、更に、各作業者の身長、体格、あるいは作業者の移動に合わせた吹出しを行うことができることとなる。
【００４７】
透明カーテン可変手段としては、透明カーテン１５の天井３からの高さを可変にできれば良く、例えば、透明カーテン１５の下端の両端に分銅２６等の重りを設け、カーテン巻き上げモータ２７で透明カーテン１５を巻き上げ、透明カーテン１５の先端を上下させ、透明カーテン１５の天井３からの高さを可変にする。
【００４８】
透明カーテン１５の天井からの高さの可変により、各作業者の身長に合わせて、洗浄領域５から作業者領域６に侵入してくる塵埃が作業者の顔面に当たらないように、各作業者の顔面の高さまで垂れ下げて、各作業者の塵埃保護をより確実にする。
【００４９】
透明カーテン１５としては、透明で、洗浄領域５からの塵埃等の作業者領域６への逆流により侵入阻止、すなわち作業者の顔面、頭部への塵埃からの保護ができれば良く、例えば、透明なビニールシ−ト、透明なアクリル板等がある。
【００５０】
透明カーテン１５は作業者が動く領域の作業ゾーン３１の境界１４に設け、作業ゾーン３１以外の洗浄領域５と作業者領域６の境界１４は床まで届くシート、例えば、透明ビニールシート３２を設けても良い。作業ゾーン３１外で洗浄領域５から作業者領域６への塵埃侵入が防止できる場合は、作業ゾーン３１外の境界１４も作業者の顔面までの透明カーテン１５でも良い。
【００５１】
作業台１３上で洗浄対象物７を搬送する手段としては、洗浄対象物７を搬送できれば良く、例えば、ボールキャスタ、ローラコンベヤ等がある。
【００５２】
粉塵汚染に強いボールキャスタ３３を中空角パイプ３４上に複数個を等間隔に設けて、その中空角パイプ３４を平行に等間隔に搬送方向に並べて、その並べられた中空角パイプ３４上に設けられたボールキャスタ３３上に載せて洗浄対象物７を搬送しても良い。
【００５３】
本実施例によれば、作業者の背面上方から洗浄領域５に向かって浄化された空気を吹き出すことで、洗浄領域５から作業者領域６に侵入してくる塵埃が作業者の顔面に当たらないようにでき、作業者を保護、特に、作業者の顔面、頭部の保護ができ、作業者が空気洗浄されて飛散した粉塵、塵埃による粉塵汚染を受け難くすることができる。
【００５４】
また、吹出し口１２を上下することにより、作業者の身長、体格に合わせての吹出し口１２を上下することができ、より確実に作業者の顔面、頭部の保護ができ、作業者が空気洗浄されて飛散した粉塵、塵埃による粉塵汚染を受け難くすることができる。
【００５５】
また、透明カーテン１５の天井３からの高さを可変にすることにより、作業者の身長に合わせて透明カーテン１５の天井３からの高さを可変にでき、より確実に作業者の顔面、頭部の保護ができ、作業者が空気洗浄されて飛散した粉塵、塵埃による粉塵汚染を受け難くすることができる。
【００５６】
また、吸込み口９を洗浄領域５であって作業者領域６と対向する対向面の下方に備えたことにより、作業者の背面上方から洗浄領域の作業者領域と対向する対向面８の下方に向かって浄化された空気のスムースな流れができ、作業者が空気洗浄されて飛散した粉塵、塵埃による粉塵汚染を受け難くすることができる。
【産業上の利用可能性】
【００５７】
本発明にかかる除塵ブースは、空調機等の洗浄対象物の空気洗浄時に、作業者を飛散してくる塵埃からの保護ができ、作業者を粉塵、塵埃から保護する除塵ブース等として有用である。
【符号の説明】
【００５８】
１  除塵ブース
３  天井
４  周囲
５  洗浄領域
６  作業者領域
８  対向面
９  吸込み口
１０  浄化手段
１１  送風機
１２  吹出し口
１４  境界
１５  透明カーテン
２１  ジャバラダクト
２２  ワイヤ
２３  ワイヤ巻き上げモータ
２４  ルーバ
２５  ルーバモータ
２６  分銅
２７  カーテン巻き上げモータ
【図１】
2014176787.tif 000003
【図２】
2014176787.tif 000004